【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
ゴルファがゴルフクラブによりゴルフボールを打撃するときのゴルフスイングを分類する分類方法であって、
ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、前記２つのゴルフスイング軌跡を割り当てるステップと、
前記２つのゴルフスイング軌跡上で選定した１点と前記原点とを結んだ直線を定めるステップと、
前記２つのゴルフスイング軌跡について、前記定めた直線と前記水平軸が為す角度をそれぞれ算出するステップと、
当該算出したそれぞれの角度の角度差に基づいてゴルフスイングを分類するステップと、
を含むことを特徴とする分類方法。
【請求項２】
ゴルファがゴルフクラブによりゴルフボールを打撃するときのゴルフスイングを分類する分類方法であって、
ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、前記２つのゴルフスイング軌跡を割り当てるステップと、
前記２つのゴルフスイング軌跡について、前記水平軸方向の前記原点からの最大距離をそれぞれ算出するステップと、
当該算出したそれぞれの最大距離の距離差に基づいてゴルフスイングを分類するステップと、
を含むことを特徴とする分類方法。
【請求項３】
ゴルファがゴルフクラブによりゴルフボールを打撃するときのゴルフスイングを分類する分類方法であって、
ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当てて第１の軌跡分布を生成するステップと、
該２つのゴルフスイング軌跡について、前記定めた直線と前記水平軸が為す角度をそれぞれ算出するステップと、
前記ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当てて第２の軌跡分布を生成するステップと、
該２つのゴルフスイング軌跡について、前記水平軸方向の前記原点からの最大距離をそれぞれ算出するステップと、
前記算出したそれぞれの角度の角度差と、前記算出したそれぞれの距離の距離差と、に基づいて、ゴルフスイングを分類することを特徴とする分類方法。
【請求項４】
ゴルファがゴルフクラブによりゴルフボールを打撃するときのゴルフスイングを分類する分類システムであって、
ゴルファのゴルフスイングを撮像する撮像カメラと、
撮像したゴルフスイングを解析するための解析装置とを備え、
前記解析装置は、
撮像したゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、前記２つのゴルフスイング軌跡を割り当てる計測部と、
前記２つのゴルフスイング軌跡上で選定した１点と前記原点とを結んだ直線を定め、前記２つのゴルフスイング軌跡について、前記定めた直線と前記水平軸が為す角度をそれぞれ算出する特徴量抽出部と、
当該算出したそれぞれの角度の角度差に基づいてゴルフスイングを分類する統計処理部と、
を備えることを特徴とする分類システム。
【請求項５】
ゴルファがゴルフクラブによりゴルフボールを打撃するときのゴルフスイングを分類する分類システムであって、
ゴルファのゴルフスイングを撮像する撮像カメラと、
撮像したゴルフスイングを解析するための解析装置とを備え、
前記解析装置は、
撮像したゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、前記２つのゴルフスイング軌跡を割り当てる計測部と、
前記２つのゴルフスイング軌跡について、前記水平軸方向の前記原点からの最大距離をそれぞれ算出する特徴量抽出部と、
当該算出したそれぞれの最大距離の距離差に基づいてゴルフスイングを分類する統計処理部と、を備えることを特徴とする分類システム。
【請求項６】
ゴルファがゴルフクラブによりゴルフボールを打撃するときのゴルフスイングを分類する分類システムであって、
ゴルファのゴルフスイングを撮像する撮像カメラと、
撮像したゴルフスイングを解析するための解析装置とを備え、
前記解析装置は、
ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当て、第１の軌跡分布を生成するとともに、
前記ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当て、第２の軌跡分布を生成する、計測部と、
前記第１の軌跡分布について、前記２つのゴルフスイング軌跡上で選定した１点と前記原点とを結んだ直線を定め、前記定めた直線と前記水平軸が為す角度をそれぞれ算出し、
前記第２の軌跡分布について、前記水平軸方向の前記原点からの最大距離をそれぞれ算出する特徴量抽出部と、
前記算出したそれぞれの角度の角度差と、前記算出したそれぞれの距離の距離差と、に基づいて、ゴルフスイングを分類する統計処理部と、
を備えることを特徴とする分類システム。
【請求項７】
ゴルファがゴルフクラブによりゴルフボールを打撃するときのゴルフスイングを分析する分析装置であって、
ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、前記２つのゴルフスイング軌跡を割り当てる計測部と、
前記２つのゴルフスイング軌跡上で選定した１点と前記原点とを結んだ直線を定め、前記２つのゴルフスイング軌跡について、前記定めた直線と前記水平軸が為す角度をそれぞれ算出する特徴量抽出部と、
当該算出したそれぞれの角度の角度差に基づいてゴルフスイングを分類する統計処理部と、
を備えることを特徴とする分類装置。
【請求項８】
ゴルファがゴルフクラブによりゴルフボールを打撃するときのゴルフスイングを分析する分析装置であって、
ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、前記２つのゴルフスイング軌跡を割り当てる計測部と、
前記２つのゴルフスイング軌跡について、前記水平軸方向の前記原点からの最大距離をそれぞれ算出する特徴量抽出部と、
当該算出したそれぞれの最大距離の距離差に基づいてゴルフスイングを分類する統計処理部と、
を備えることを特徴とする分類装置。
【請求項９】
ゴルファがゴルフクラブによりゴルフボールを打撃するときのゴルフスイングを分析する分析装置であって、
ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当て、第１の軌跡分布を生成するとともに、
前記ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当て、第２の軌跡分布を生成する、計測部と、
前記第１の軌跡分布について、前記２つのゴルフスイング軌跡上で選定した１点と前記原点とを結んだ直線を定め、前記定めた直線と前記水平軸が為す角度をそれぞれ算出し、
前記第２の軌跡分布について、前記水平軸方向の前記原点からの最大距離をそれぞれ算出する特徴量抽出部と、
前記算出したそれぞれの角度の角度差と、前記算出したそれぞれの距離の距離差と、に基づいて、ゴルフスイングを分類する統計処理部と、
を備えることを特徴とする分類装置。
【請求項１０】
ゴルファがゴルフクラブによりゴルフボールを打撃するときのゴルフスイングを分析する分析装置として構成するコンピュータに、
ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、前記２つのゴルフスイング軌跡を割り当てるステップと、
前記２つのゴルフスイング軌跡上で選定した１点と前記原点とを結んだ直線を定め、前記２つのゴルフスイング軌跡について、前記定めた直線と前記水平軸が為す角度をそれぞれ算出するステップと、
当該算出したそれぞれの角度の角度差に基づいてゴルフスイングを分類するステップと、
を実行させるためのプログラム。
【請求項１１】
ゴルファがゴルフクラブによりゴルフボールを打撃するときのゴルフスイングを分析する分析装置として構成するコンピュータに、
ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、前記２つのゴルフスイング軌跡を割り当てるステップと、
前記２つのゴルフスイング軌跡について、前記水平軸方向の前記原点からの最大距離をそれぞれ算出するステップと、
当該算出したそれぞれの最大距離の距離差に基づいてゴルフスイングを分類するステップと、
を実行させるためのプログラム。
【請求項１２】
ゴルファがゴルフクラブによりゴルフボールを打撃するときのゴルフスイングを分析する分析装置として構成するコンピュータに、
ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当てて第１の軌跡分布を生成するステップと、
該２つのゴルフスイング軌跡について、前記２つのゴルフスイング軌跡上で選定した１点と前記原点とを結んだ直線を定め、前記定めた直線と前記水平軸が為す角度をそれぞれ算出するステップと、
前記ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当てて第２の軌跡分布を生成するステップと、
該２つのゴルフスイング軌跡について、前記水平軸方向の前記原点からの最大距離をそれぞれ算出するステップと、
前記算出したそれぞれの角度の角度差と、前記算出したそれぞれの距離の距離差と、に基づいて、ゴルフスイングを分類するステップと、
を実行させるためのプログラム。
【手続補正２】
【補正対象書類名】明細書
【補正対象項目名】００１１
【補正方法】変更
【補正の内容】
【００１１】
また、本発明による分類方法は、
ゴルファがゴルフクラブによりゴルフボールを打撃するときのゴルフスイングを分類する分類方法であって、
ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当てて第１の軌跡分布を生成するステップと、
該２つのゴルフスイング軌跡について、前記定めた直線と前記水平軸が為す角度をそれぞれ算出するステップと、
前記ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当てて第２の軌跡分布を生成するステップと、
該２つのゴルフスイング軌跡について、前記水平軸方向の前記原点からの最大距離をそれぞれ算出するステップと、
前記算出したそれぞれの角度の角度差と、前記算出したそれぞれの距離の距離差と、に基づいて、ゴルフスイングを分類することを特徴とするものである。
【手続補正３】
【補正対象書類名】明細書
【補正対象項目名】００１４
【補正方法】変更
【補正の内容】
【００１４】
本発明による分類システムは、ゴルファがゴルフクラブによりゴルフボールを打撃するときのゴルフスイングを分類する分類システムであって、
ゴルファのゴルフスイングを撮像する撮像カメラと、
撮像したゴルフスイングを解析するための解析装置とを備え、
前記解析装置は、
ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当て、第１の軌跡分布を生成するとともに、
前記ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当て、第２の軌跡分布を生成する、計測部と、
前記第１の軌跡分布について、前記２つのゴルフスイング軌跡上で選定した１点と前記原点とを結んだ直線を定め、前記定めた直線と前記水平軸が為す角度をそれぞれ算出し、
前記第２の軌跡分布について、前記水平軸方向の前記原点からの最大距離をそれぞれ算出する特徴量抽出部と、
前記算出したそれぞれの角度の角度差と、前記算出したそれぞれの距離の距離差と、に基づいて、ゴルフスイングを分類する統計処理部と、
を備えることを特徴とするものである。
【手続補正４】
【補正対象書類名】明細書
【補正対象項目名】００１７
【補正方法】変更
【補正の内容】
【００１７】
また、本発明による分析装置は、ゴルファがゴルフクラブによりゴルフボールを打撃するときのゴルフスイングを分析する分析装置であって、
ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当て、第１の軌跡分布を生成するとともに、
前記ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当て、第２の軌跡分布を生成する、計測部と、
前記第１の軌跡分布について、前記２つのゴルフスイング軌跡上で選定した１点と前記原点とを結んだ直線を定め、前記定めた直線と前記水平軸が為す角度をそれぞれ算出し、
前記第２の軌跡分布について、前記水平軸方向の前記原点からの最大距離をそれぞれ算出する特徴量抽出部と、
前記算出したそれぞれの角度の角度差と、前記算出したそれぞれの距離の距離差と、に基づいて、ゴルフスイングを分類する統計処理部と、
を備えることを特徴とするものである。
【手続補正５】
【補正対象書類名】明細書
【補正対象項目名】００２０
【補正方法】変更
【補正の内容】
【００２０】
また、本発明によるプログラムは、ゴルファがゴルフクラブによりゴルフボールを打撃するときのゴルフスイングを分析する分析装置として構成するコンピュータに、
ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当てて第１の軌跡分布を生成するステップと、
該２つのゴルフスイング軌跡について、前記２つのゴルフスイング軌跡上で選定した１点と前記原点とを結んだ直線を定め、前記定めた直線と前記水平軸が為す角度をそれぞれ算出するステップと、
前記ゴルファのゴルフスイングをバックスイング、ダウンスイング及びフォロースルーのゴルフスイング軌跡に区分し、バックスイング、ダウンスイング及びフォロースルーのうちのいずれか２つのゴルフスイング軌跡について、該ゴルフスイング軌跡のうちの定点を原点とし、鉛直軸及び水平軸とする２次元座標に、該２つのゴルフスイング軌跡を割り当てて第２の軌跡分布を生成するステップと、
該２つのゴルフスイング軌跡について、前記水平軸方向の前記原点からの最大距離をそれぞれ算出するステップと、
前記算出したそれぞれの角度の角度差と、前記算出したそれぞれの距離の距離差と、に基づいて、ゴルフスイングを分類するステップと、
を実行させるためのプログラムである。